(57)【要約】【課題】読出し専用非接触ＩＣカードを用いた金額券や定期券等について、少ないデータ量で入出場管理を可能とした自動改札システムを提供する。【解決手段】改札機１１は、全ての非接触ＩＣカード２１のデータを格納するデータベースを備える管理センター３で作成配信された入出場拒否リストと入場用定期券ホワイトリストを用いて利用者が所持する非接触ＩＣカード２１の入場の可否を判定し、入場を許可した非接触ＩＣカード２１の入場時の情報から、管理センター３が作成し所定の駅装置に配信した出場用定期券ホワイトリスト及び出場用金額券ホワイトリストを用いて利用者が所持する非接触ＩＣカード２１の出場の可否を判定する。【選択図】図１
2012221089.tif 000002
【特許請求の範囲】
【請求項１】
読出し専用非接触ＩＣカードを用いて入出場を管理する自動改札システムにおいて、
前記非接触ＩＣカードの識別情報を読取る読取手段と、該読取手段で読取った非接触ＩＣカードの識別情報に基づいて入出場の可否を判定する判定手段とを備えた自動改札機を含む駅装置と、
前記非接触ＩＣカードの識別情報と対応付けて非接触ＩＣカードの使用形態を含む使用履歴情報を格納し、この格納情報に基づいて、入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリストとを予め作成すると共に、入場時に前記自動改札機の前記読取手段で読取った非接触ＩＣカードの識別情報に基づいて、非接触ＩＣカードが定期券のときはその有効区間情報から有効区間内の各駅で出場を許可する非接触ＩＣカードの識別情報からなる出場用定期券ホワイトリストを作成し、非接触ＩＣカードが金額券のときはその残額情報から運賃が残額以下の各駅で出場を許可する非接触ＩＣカードの識別情報からなる出場用金額券ホワイトリストを作成し、作成した各リストを所定の配信先の駅装置に配信する管理センターと、を備え、
入場時に前記自動改札機の前記読取手段で読取った非接触ＩＣカードの識別情報と、当該自動改札機を含む駅装置に配信されている入場判定用のリストに登録された非接触ＩＣカードの識別情報とを前記判定手段で照合して入場の可否を判定し、出場時に前記自動改札機の前記読取手段で読取った非接触ＩＣカードの識別情報と、当該自動改札機を含む駅装置に配信されている出場判定用のリストに登録された非接触ＩＣカードの識別情報とを前記判定手段で照合して出場の可否を判定することを特徴とする自動改札システム。
【請求項２】
前記管理センターは、
前記非接触ＩＣカードの識別情報と対応付けてその非接触ＩＣカードの使用形態を含む使用履歴情報を格納するデータベースと、
該データベースの格納情報に基づいて、入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリストとを予め作成する第１リスト作成部と、
入場時に前記自動改札機の前記読取手段で読取った非接触ＩＣカードの識別情報に基づいて、非接触ＩＣカードが定期券のときはその有効区間内の各駅で出場を許可する非接触ＩＣカードの識別情報からなる出場用定期券ホワイトリストを作成し、非接触ＩＣカードが金額券のときはその残額情報から運賃が残額以下の各駅で出場を許可する非接触ＩＣカードの識別情報からなる出場用金額券ホワイトリストを作成する第２リスト作成部と、
前記入出場拒否リストを全ての駅装置に配信し、前記入場用定期券ホワイトリスト及び出場用定期券ホワイトリストを定期券の有効区間内の駅装置に配信し、出場用金額券ホワイトリストを運賃が残額以下の駅装置に配信するリスト配信部と、
を備える請求項１に記載の自動改札システム。
【請求項３】
読出し専用非接触ＩＣカードを用いて入出場を管理する自動改札システムにおいて、
前記非接触ＩＣカードの識別情報を読取る読取手段と、該読取手段で読取った非接触ＩＣカードの識別情報に基づいて入出場の可否を判定する判定手段とを備えた自動改札機を含む駅装置と、
前記非接触ＩＣカードの識別情報と対応付けて非接触ＩＣカードの使用形態を含む使用履歴情報を格納し、この格納情報に基づいて、入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリスト及び出場用定期券ホワイトリストとを予め作成すると共に、入場時に前記自動改札機の前記読取手段で読取った非接触ＩＣカードの識別情報に基づいて、非接触ＩＣカードが金額券のときはその残額情報から運賃が残額以下の各駅で出場を許可する非接触ＩＣカードの識別情報からなる出場用金額券ホワイトリストを作成し、作成した各リストを所定の配信先の駅装置に配信する管理センターと、を備え、
入場時に前記自動改札機の前記読取手段で読取った非接触ＩＣカードの識別情報と、当該自動改札機を含む駅装置に配信されている入場判定用のリストに登録された非接触ＩＣカードの識別情報とを前記判定手段で照合して入場の可否を判定し、出場時に前記自動改札機の前記読取手段で読取った非接触ＩＣカードの識別情報と、当該自動改札機を含む駅装置に配信されている出場判定用のリストに登録された非接触ＩＣカードの識別情報とを前記判定手段で照合して出場の可否を判定することを特徴とする自動改札システム。
【請求項４】
前記管理センターは、
前記非接触ＩＣカードの識別情報と対応付けてその非接触ＩＣカードの使用形態を含む使用履歴情報を格納するデータベースと、
該データベースの格納情報に基づいて、入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリスト及び出場用定期券ホワイトリストとを予め作成する第１リスト作成部と、
入場時に前記自動改札機の前記読取手段で読取った非接触ＩＣカードの識別情報に基づいて、非接触ＩＣカードが金額券のときはその残額情報から運賃が残額以下の各駅で出場を許可する非接触ＩＣカードの識別情報からなる出場用金額券ホワイトリストを作成する第２リスト作成部と、
前記入出場拒否リストを全ての駅装置に配信し、前記入場用定期券ホワイトリスト及び出場用定期券ホワイトリストを定期券の有効区間内の駅装置に配信し、出場用金額券ホワイトリストを運賃が残額以下の駅装置に配信するリスト配信部と、
を備える請求項３に記載の自動改札システム。
【請求項５】
前記自動改札機の判定手段は、入場判定用のリストとして、前記入出場拒否用リスト及び前記入場用定期券ホワイトリストを用いる請求項１〜４のいずれか１つに記載の自動改札システム。
【請求項６】
前記自動改札機の判定手段は、出場判定用のリストとして、少なくとも出場用定期券ホワイトリスト及び出場用金額券ホワイトリストを用いる請求項１〜５のいずれか１つに記載の自動改札システム。
【請求項７】
前記入出場拒否リストが、紛失や盗難の登録がされた非接触ＩＣカードの識別情報及び不正の行われている可能性の高い非接触ＩＣカードの識別情報等をリストアップしたブラックリストと、使用履歴の不整合が発生した非接触ＩＣカードの識別情報をリストアップした不整合グレーリストと、使用形態が金額券で残高が一定額以下の非接触ＩＣカードの識別情報をリストアップした金額券残高グレーリストである請求項５に記載の自動改札システム。
【請求項８】
前記自動改札機の判定手段は、出場判定用のリストに前記入出場拒否リストも含める請求項６に記載の自動改札システム。
【請求項９】
前記入出場拒否リストが、紛失や盗難の登録がされた非接触ＩＣカードの識別情報及び不正の行われている可能性の高い非接触ＩＣカードの識別情報等をリストアップしたブラックリストである請求項８に記載の自動改札システム。
【発明の詳細な説明】
【技術分野】
【０００１】
本発明は、読出し専用非接触ＩＣカードを用いた自動改札システムに関し、特に、読出し専用非接触ＩＣカードによる金額券や定期券等の入出場管理に好適な自動改札システムに関する。
【背景技術】
【０００２】
近年、鉄道の自動改札システムとして、例えば特許文献１に記載されているような読出し専用の非接触ＩＣカードを用いた自動改札システムが提案されている。この特許文献１に記載された自動改札システムは、利用者の操作に従って券売機で発券した読出し専用非接触ＩＣカードの識別情報、発券場所（発券駅）、目的地又は運賃の情報をセンターシステムのデータベースに登録し、センターシステムで、データベースの登録データに基づいて各駅毎の入場を許可する非接触ＩＣカードの識別情報をリストアップしたホワイトリスト及び出場を許可する非接触ＩＣカードの識別情報をリストアップしたホワイトリストをそれぞれ作成し、各駅の改札機に予め配信しておく。そして、利用者の入場時や出場時に、カードから読取った識別情報とホワイトリストの識別情報とを改札機で照合して入場や出場の可否を判定することにより、入出場を管理する構成である。
【先行技術文献】
【特許文献】
【０００３】
【特許文献１】特開２００８−３３７００号公報
【発明の概要】
【発明が解決しようとする課題】
【０００４】
しかしながら、特許文献１に記載された自動改札システムは、入場や出場を許可するカードの識別情報をリストアップしたホワイトリストを用いて入出場を管理する方式である。このため、読出し専用非接触ＩＣカードの使用形態が１回券や回数券等のような有効期限が短期間な使い捨て券である場合は、リストアップするデータ量があまり多くならず実用的に可能であるが、読出し専用非接触ＩＣカードの使用形態がストアードフェア券のような金額券や繰返し使用可能な区間券である定期券（金額券の機能を併せ持つ定期券を含む）等のような一定期間の使用制限を持つ券や、使用期限が制限されない券の場合は、特許文献１に記載された自動改札システムのようなホワイトリスト方式では、発行されて使用可能状態にある全ての非接触ＩＣカードの識別情報をリストアップする必要があり、データ量が極めて膨大となり、実用的に難しいという問題がある。
【０００５】
本発明は上記問題点に着目してなされたもので、読出し専用非接触ＩＣカードによる金額券や定期券等でも少ないデータ量で入出場管理が可能な自動改札システムを提供することを目的とする。
【課題を解決するための手段】
【０００６】
このため、第１発明は、読出し専用非接触ＩＣカードを用いて入出場を管理する自動改札システムにおいて、前記非接触ＩＣカードの識別情報を読取る読取手段と、該読取手段で読取った非接触ＩＣカードの識別情報に基づいて入出場の可否を判定する判定手段とを備えた自動改札機を含む駅装置と、前記非接触ＩＣカードの識別情報と対応付けて非接触ＩＣカードの使用形態を含む使用履歴情報を格納し、この格納情報に基づいて入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリストとを予め作成すると共に、入場時に前記自動改札機の前記読取手段で読取った非接触ＩＣカードの識別情報に基づいて、非接触ＩＣカードが定期券のときはその有効区間情報から有効区間内の各駅で出場を許可する非接触ＩＣカードの識別情報からなる出場用定期券ホワイトリストを作成し、非接触ＩＣカードが金額券のときはその残額情報から運賃が残額以下の各駅で出場を許可する非接触ＩＣカードの識別情報からなる出場用金額券ホワイトリストを作成し、作成した各リストを所定の配信先の駅装置に配信する管理センターと、を備え、入場時に前記自動改札機の前記読取手段で読取った非接触ＩＣカードの識別情報と、当該自動改札機を含む駅装置に配信されている入場判定用のリストに登録された非接触ＩＣカードの識別情報とを前記判定手段で照合して入場の可否を判定し、出場時に前記自動改札機の前記読取手段で読取った非接触ＩＣカードの識別情報と、当該自動改札機を含む駅装置に配信されている出場判定用の各リストに登録された非接触ＩＣカードの識別情報とを前記判定手段で照合して出場の可否を判定することを特徴とする。
【０００７】
かかる構成では、管理センターにおいて、非接触ＩＣカードの識別情報と対応付けて非接触ＩＣカードの使用形態を含む使用履歴情報を格納し、この格納情報に基づいて入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリストとを予め作成して各リストを所定の配信先の駅装置に予め配信する。また、利用者の入場時に自動改札機の読取手段で読取った非接触ＩＣカードの識別情報に基づいて、格納した非接触ＩＣカードの使用形態を含む使用履歴情報から非接触ＩＣカードが定期券であれば、その有効区間情報から有効区間内の各駅で出場を許可する非接触ＩＣカードの識別情報からなる出場用定期券ホワイトリストを作成し、非接触ＩＣカードが金額券であれば、その残額情報から運賃が残額以下の各駅で出場を許可する非接触ＩＣカードの識別情報からなる出場用金額券ホワイトリストを作成して両リストを該当する駅装置に配信する。そして、利用者が入場する時に、自動改札機の読取手段で読取った非接触ＩＣカードの識別情報と当該自動改札機を含む駅装置に配信されている入場判定用の各リストに登録された非接触ＩＣカードの識別情報とを判定手段で照合して入場の可否を判定する。また、利用者が出場する時に、自動改札機の前記読取手段で読取った非接触ＩＣカードの識別情報と当該自動改札機を含む駅装置に配信されている出場判定用の各リストに登録された非接触ＩＣカードの識別情報とを自動改札機の判定手段で照合して出場の可否を判定する。
【０００８】
また、第２発明は、読出し専用非接触ＩＣカードを用いて入出場を管理する自動改札システムにおいて、前記非接触ＩＣカードの識別情報を読取る読取手段と、該読取手段で読取った非接触ＩＣカードの識別情報に基づいて入出場の可否を判定する判定手段とを備えた自動改札機を含む駅装置と、前記非接触ＩＣカードの識別情報と対応付けて非接触ＩＣカードの使用形態を含む使用履歴情報を格納し、この格納情報に基づいて、入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリスト及び出場用定期券ホワイトリストとを予め作成すると共に、入場時に前記自動改札機の前記読取手段で読取った非接触ＩＣカードの識別情報に基づいて、非接触ＩＣカードが金額券のときはその残額情報から運賃が残額以下の各駅で出場を許可する非接触ＩＣカードの識別情報からなる出場用金額券ホワイトリストを作成し、作成した各リストを所定の配信先の駅装置に配信する管理センターと、を備え、入場時に前記自動改札機の前記読取手段で読取った非接触ＩＣカードの識別情報と、当該自動改札機を含む駅装置に配信されている入場判定用のリストに登録された非接触ＩＣカードの識別情報とを前記判定手段で照合して入場の可否を判定し、出場時に前記自動改札機の前記読取手段で読取った非接触ＩＣカードの識別情報と、当該自動改札機を含む駅装置に配信されている出場判定用のリストに登録された非接触ＩＣカードの識別情報とを前記判定手段で照合して出場の可否を判定することを特徴とする。
【０００９】
かかる構成では、管理センターにおいて、非接触ＩＣカードの識別情報と対応付けて非接触ＩＣカードの使用形態を含む使用履歴情報を格納し、この格納情報に基づいて入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリスト及び出場用定期券ホワイトリストとを予め作成して各リストを所定の配信先の駅装置に予め配信する。また、利用者の入場時に自動改札機の読取手段で読取った非接触ＩＣカードの識別情報に基づいて、格納した非接触ＩＣカードの使用形態を含む使用履歴情報から非接触ＩＣカードが金額券であれば、その残額情報から運賃が残額以下の各駅で出場を許可する非接触ＩＣカードの識別情報からなる出場用金額券ホワイトリストを作成して両リストを該当する駅装置に配信する。そして、利用者が入場する時に、自動改札機の読取手段で読取った非接触ＩＣカードの識別情報と当該自動改札機を含む駅装置に配信されている入場判定用の各リストに登録された非接触ＩＣカードの識別情報とを判定手段で照合して入場の可否を判定する。また、利用者が出場する時に、自動改札機の前記読取手段で読取った非接触ＩＣカードの識別情報と当該自動改札機を含む駅装置に配信されている出場判定用の各リストに登録された非接触ＩＣカードの識別情報とを自動改札機の判定手段で照合して出場の可否を判定する。
【発明の効果】
【００１０】
第１発明の自動改札システムによれば、入場を許可した非接触ＩＣカードが定期券のときはその有効区間情報から有効区間内の各駅で出場を許可する出場用定期券ホワイトリストを利用者の入場時に作成して該当する各駅の駅装置に配信し、非接触ＩＣカードが金額券のときはその残額情報から運賃が残額以下の各駅で出場を許可する出場用金額券ホワイトリストを利用者の入場時に作成して該当する各駅の駅装置に配信する構成としたので、発行されて使用可能状態にある全ての非接触ＩＣカードの識別情報をリストアップして保持する必要がなく、入場してから出場するまでの期間だけ該当する金額券や定期券の非接触ＩＣカードの識別情報のデータを保持すればよいので、リストとして保持するデータ量が少なくて済む。従って、読出し専用非接触ＩＣカードを金額券や定期券等に適用した場合の自動改札システムによる入出場管理が容易になる。
【００１１】
第２発明の自動改札システムによれば、使用形態が定期券で有効期限内の非接触ＩＣカードについては、その識別情報をリストアップした有効区間内の各駅毎の出場用定期券ホワイトリストを予め作成して該当する各駅の駅装置に配信しておき、入場を許可した非接触ＩＣカードが金額券のときに、その残額情報から運賃が残額以下の各駅で出場を許可する出場用金額券ホワイトリストを利用者の入場時に作成して該当する各駅の駅装置に配信する構成としたので、金額券の非接触ＩＣカードについては、発行されて使用可能状態にある全ての非接触ＩＣカードの識別情報をリストアップして保持する必要がなく、入場してから出場するまでの期間だけ該当する金額券の非接触ＩＣカードの識別情報のデータを保持すればよいので、リストとして保持するデータ量が少なくて済む。また、非接触ＩＣカードが定期券の場合の管理センターの入場処理負荷を軽減できる。従って、読出し専用非接触ＩＣカードを金額券や定期券等に適用した場合の自動改札システムによる入出場管理が容易になる。
【図面の簡単な説明】
【００１２】
【図１】本発明の自動改札システムの第１実施形態を示す概略構成図である。
【図２】駅サーバの構成を示すブロック図である。
【図３】入場処理動作を説明するフローチャートである。
【図４】入場情報を受信した管理センターの動作を説明するフローチャートである。
【図５】出場処理動作を説明するフローチャートである。
【発明を実施するための形態】
【００１３】
以下、本発明の実施形態を図面に基づいて説明する。
図１は、本発明に係る自動改札システムの第１実施形態を示す概略構成図である。
図１において、本実施形態の自動改札システムは、鉄道会社が発行する読出し専用非接触ＩＣカードによる一回限りの乗車券、ストアードフェア券のような金額券、定期券（金額券の機能を併せ持つ定期券を含む）を用いて各駅の入出場を管理するものであり、各駅の駅装置１−１〜１−ｍ（ｍは自然数）と、各駅装置１−１〜１−ｍとネットワークで接続され各鉄道会社の指令センター等に設置されるエリアサーバ２−１〜２−ｎ（ｎは自然数）と、各エリアサーバ２−１〜２−ｎとネットワークで接続され複数の鉄道会社を統括管理する管理センター３とを備えて構成される。
【００１４】
駅装置１−１は、種々の駅務処理を行う駅務機器として、多数の自動改札機１１、監視盤１２、券売機１３、精算機１４、係員機１５、駅サーバ１６等を備える。前記自動改札機１１は、駅の改札口に設置され、利用者の所持する読出し専用非接触ＩＣカード２１の固有の識別情報である識別番号を読取るカードリーダと、読取った非接触ＩＣカードの識別番号に基づいて入出場の可否を判定してドアを開閉制御する機能を有する制御部等を備え、改札口における利用者の通行を管理する。前記監視盤１２は、例えば改札口が複数あるターミナル駅等において改札口単位で設けられ、各改札口に設置された複数の自動改札機１１の動作状況をまとめて監視するものである。前記券売機１３は、利用客の操作により新規な非接触ＩＣカードの１回限りの乗車券等の発行を行うものである。前記精算機１４は、駅構内に設置されて例えば乗越し等の精算を行うものである。係員機１５は、窓口等に設置されて駅係員が操作を行うものである。そして、これら自動改札機１１、監視盤１２、券売機１３、精算機１４、係員機１５等の駅務機器は、それぞれ処理した非接触ＩＣカード２１の識別番号及びその処理情報を駅サーバ１６に送信する。尚、自動改札機が少なく監視盤１２が不要な場合は、自動改札機１１を駅サーバ１６に直接接続する。
【００１５】
駅サーバ１６は、それぞれの鉄道会社が運営する各駅に設置され、図２に示すように、制御部３１、通信部３２及びデータベース３３等を含んで構成され、その駅に設置される自動改札機１１、監視盤１２、券売機１３、精算機１４、係員機１５等の駅務機器から送信された非接触ＩＣカード２１の識別番号及び処理情報を、エリアサーバ２−１へ送信すると共に、エリアサーバ２−１側から送信される送信情報を受信管理する。前記制御部３１は、駅サーバ１６全体の動作を制御するもので、例えばコンピュータ等で構成される。通信部３２は、自動改札機１１、監視盤１２、券売機１３、精算機１４、係員機１５等の駅務機器や後述するエリアサーバ２−１と情報の送受信を行う。データベース３３は、前記送受信情報を記憶格納するものである。また、駅務処理を行うものではないが、駅構内の自販機１７及びコンビニエンスストアで使用されるＰＯＳ端末１８、或いはその他の端末１９で処理された金額券の非接触ＩＣカード２１の識別番号及び残高情報等も駅サーバ１６に送信され、駅サーバ１６からエリアサーバ２−１へ送信される。尚、他の駅装置１−２〜１−ｎも駅装置１−１と略同様の構成であるので説明は省略する。
【００１６】
エリアサーバ２−１〜２−ｍは、各鉄道会社が管轄するエリア内の全駅装置１−１〜１−ｎを統括制御するもので、例えばその鉄道会社の全駅を統括管理する指令センター等に設置される。エリアサーバ２−１〜２−ｍの構成は、駅サーバ１６と同様の構成であり、制御部、通信部及びデータベース等を含んで構成され、各駅装置１−１〜１−ｎとの間で情報を送受信し、後述する管理センター３との間で情報を送受信する。
【００１７】
管理センター３は、各鉄道会社が管理するエリアサーバ２−１〜２−ｍを統括制御するもので、エリアサーバ２−１〜２−ｍと同様の構成であり、制御部、通信部及びデータベース等を含んで構成される。管理センター３は、駅装置１−１〜１−ｎからエリアサーバ２−１〜２−ｍを介して送信された情報に基づいて、発行済みの全ての非接触ＩＣカード２１の識別情報と対応付けて非接触ＩＣカードの使用形態を含む使用履歴情報をデータベースに格納する。そして、制御部は、データベースの格納情報に基づいて、入出場を拒否する非接触ＩＣカードの識別情報をリストアップした入出場拒否リストと使用形態が定期券で有効期限内の非接触ＩＣカードの識別情報をリストアップした有効区間内の各駅毎の入場用定期券ホワイトリストとを予め作成する。前記入出場拒否リストとしては、例えば紛失や盗難の登録がされた非接触ＩＣカードの識別情報及び不正の行われている可能性の高い非接触ＩＣカードの識別情報等をリストアップしたブラックリストと、使用履歴の不整合（例えば自動改札機との通信の不具合等によって非接触ＩＣカードの識別情報の読取りミスで入出場の履歴に不整合が存在する場合）が発生した非接触ＩＣカードの識別情報をリストアップした不整合グレーリストと、使用形態が金額券で残高が一定額（例えば初乗り運賃）以下の非接触ＩＣカードの識別情報をリストアップした金額券残高グレーリスト等である。また、制御部は、入場時に自動改札機１１で読取られて駅装置１−１〜１−ｎからエリアサーバ２−１〜２−ｍを介して送信される非接触ＩＣカードの識別情報に基づいて、データベースの格納情報を参照して、非接触ＩＣカードが定期券のときはその有効区間情報から有効区間内の各駅で出場を許可する非接触ＩＣカードの識別情報からなる出場用定期券ホワイトリストを作成し、非接触ＩＣカードが金額券のときはその残額情報から運賃が残額以下の各駅で出場を許可する非接触ＩＣカードの識別情報からなる出場用金額券ホワイトリストを作成する。そして、これら作成した各リストを通信部により所定の配信先の駅装置１−１〜１−ｎへ配信する。具体的には、入出場拒否リストを全ての駅装置に配信し、入場用定期券ホワイトリスト及び出場用定期券ホワイトリストを定期券の有効区間内の駅装置に配信し、出場用金額券ホワイトリストを運賃が残額以下の駅装置に配信する。従って、管理センター３の制御部は、第１及び第２リスト作成部の機能を有する。また、制御部と通信部でリスト配信部が構成される。
【００１８】
次に、本実施形態の自動改札システムの入出場処理動作について説明する。
管理センター３において、入出場拒否リストと入場用定期券ホワイトリストとを作成して所定の配信先の各駅に予め配信しておく。具体的には、管理センター３では、駅装置１−１〜１−ｎからエリアサーバ２−１〜２−ｍを介して送信されたこれまでの情報に基づいて、発行済みの全ての非接触ＩＣカード２１の識別情報と対応付けて非接触ＩＣカードの使用形態を含む使用履歴情報をデータベースに格納している。そして、前記データベースの格納情報に基づいて、入出場を拒否する非接触ＩＣカードの識別情報をリストアップした入出場拒否リストとして、紛失や盗難の登録がされた非接触ＩＣカードの識別情報及び不正の行われている可能性の高い非接触ＩＣカードの識別情報等をリストアップしたブラックリストと、使用履歴の不整合（例えば自動改札機との通信の不具合等によって非接触ＩＣカードの識別情報の読取りミスで入出場の履歴に不整合が存在する場合）が発生した非接触ＩＣカードの識別情報をリストアップした不整合グレーリストと、使用形態が金額券で残高が一定額（例えば初乗り運賃）以下の非接触ＩＣカードの識別情報をリストアップした金額券残高グレーリストを予め作成する。また、データベースの格納情報に基づいて、使用形態が定期券で有効期限内の非接触ＩＣカードの識別情報をリストアップした有効区間内の各駅毎の入場用定期券ホワイトリストを予め作成する。そして、管理センター３は、作成したブラックリスト、不整合グレーリスト及び金額券残高グレーリストを、入場判定用のリストとしてエリアサーバ２−１〜２−ｍを介して全ての駅の駅装置１−１〜１−ｎに配信する。また、管理センター３は、入場用定期券ホワイトリストを、エリアサーバ２−１〜２−ｍを介して定期券の有効区間内の各駅の駅装置に同じく入場判定用のリストとして配信する。各駅装置は、配信された上述の各リストを駅サーバ１６及び監視盤１２を介して各自動改札機１１に配信する。尚、各リストの配信先は、自動改札機１１とせずに監視盤１２としてもよい。
【００１９】
次に、上述した入場判定用の各リストが配信された駅装置の入場処理動作について、図３のフローチャートを参照して説明する。
ステップ１（図中、Ｓ１で示し、以下同様とする）で、入場しようとする利用者が自動改札機１１に翳した非接触ＩＣカード２１の識別番号を、カードリーダによって読込む。
【００２０】
ステップ２で、読込んだ識別番号がブラックリストに存在するか否かをチェックする。
ステップ３で、チェックＯＫか否かを判定し、読込んだ識別番号がブラックリストになければＯＫと判定してステップ４に進む。
【００２１】
ステップ４では、読込んだ識別番号が不整合グレーリストに存在するか否かをチェックする。
ステップ５で、チェックＯＫか否かを判定し、読込んだ識別番号が不整合グレーリストになければＯＫと判定してステップ６に進む。
【００２２】
ステップ６では、読込んだ識別番号が金額券残高グレーリストに存在するか否かをチェックする。
ステップ７で、チェックＯＫか否かを判定し、読込んだ識別番号が金額券残高グレーリストになければＯＫと判定してステップ８に進む。
【００２３】
ステップ８では、読込んだ識別番号の非接触ＩＣカード２１は入場可として入場を許可する。
【００２４】
ステップ９では、入場を許可した非接触ＩＣカード２１の識別番号を駅サーバ１６へ送信し、駅サーバ１６は、非接触ＩＣカードの識別番号を入場情報としてエリアサーバを介して管理センター３へ送信する。
【００２５】
ステップ７でＮＯと判定された場合、ステップ１０に進み、読込んだ識別番号が入場用定期券ホワイトリストに存在するか否かをチェックする。
【００２６】
ステップ１１で、チェックＯＫか否かを判定し、読込んだ識別番号が入場用定期券ホワイトリストにあればＯＫと判定し、ステップ８に進み入場を許可し、ステップ９で、その非接触ＩＣカード２１の識別番号を入場情報として管理センター３へ送信する。一方、読込んだ識別番号が入場用定期券ホワイトリストになければＮＯと判定し、ステップ１２に進み、入場を拒否する。
【００２７】
入場情報を受信した管理センター３は、図４のフローチャートのように動作する。
即ち、ステップ２１では、データベースの格納情報と入場を許可した識別番号及び入場場所（駅）情報とに基づいて、非接触ＩＣカードが定期券のときは出場用定期券ホワイトリストを作成し、非接触ＩＣカードが金額券のときは出場用金額券ホワイトリストを作成する。
【００２８】
ステップ２２では、作成リストが出場用定期券ホワイトリストであれば、データベースに格納されたその非接触ＩＣカードの有効区間情報に基づいて有効区間内の各駅の駅装置にエリアサーバを経由して配信し、作成リストが出場用金額券ホワイトリストであれば、データベースに格納されたその非接触ＩＣカードの残額情報から運賃が残額以下の各駅の駅装置にエリアサーバを経由して配信する。それと同時に、データベース内の該当する識別番号に対応付けられた非接触ＩＣカード２１の使用履歴情報を更新する。
【００２９】
次に、上述した出場用定期券ホワイトリストや出場用金額券ホワイトリストが配信された駅装置の出場処理動作について、図５のフローチャートを参照して説明する。
ステップ３１で、出場しようとする利用者が自動改札機１１に翳した非接触ＩＣカード２１の識別番号を、カードリーダによって読込む。
【００３０】
ステップ３２で、読込んだ識別番号がブラックリストに存在するか否かをチェックする。
ステップ３３で、チェックＯＫか否かを判定し、読込んだ識別番号がブラックリストになければＯＫと判定してステップ３４に進む。
【００３１】
ステップ３４では、読込んだ識別番号が出場用定期券ホワイトリストに存在するか否かをチェックする。
ステップ３５で、チェックＯＫか否かを判定し、読込んだ識別番号が出場用定期券ホワイトリストにあればＯＫと判定してステップ３６に進む。
【００３２】
ステップ３６では、読込んだ識別番号の非接触ＩＣカード２１は出場可として出場を許可する。
【００３３】
ステップ３７では、出場を許可した非接触ＩＣカード２１の識別番号を駅サーバ１６へ送信し、駅サーバ１６は、その識別番号を出場情報としてエリアサーバを介して管理センター３へ送信する。
【００３４】
ステップ３５でＮＯと判定された場合、ステップ３８に進み、読込んだ識別番号が出場用金額券ホワイトリストに存在するか否かをチェックする。
【００３５】
ステップ３９で、チェックＯＫか否かを判定し、読込んだ識別番号が出場用金額券ホワイトリストにあればＯＫと判定してステップ３６に進み、その非接触ＩＣカード２１の識別番号と運賃情報とを出場情報として管理センター３へ送信する。一方、読込んだ識別番号が出場用金額券ホワイトリストになければＮＯと判定し、ステップ４０に進み、出場を拒否する。
【００３６】
尚、本実施形態は、正規に入場が許可された非接触ＩＣカードが出場する前に何らかの理由によりブラックリストにリストアップされる場合を考慮して、出場処理動作においてステップ３２でブラックリストチェックを行う構成としたが、出場時のブラックリストチェックは省略してもよい。
【００３７】
かかる本実施形態の自動改札システムによれば、入場時に出場判定用の出場用定期券ホワイトリストと出場用金額券ホワイトリストを作成して所定の駅装置へ配信するので、読出し専用の非接触ＩＣカードを定期券や金額券等に適用した場合でも、チェック用リストのデータ量を少なくでき自動改札システムによる入出場管理が容易になる。また、出場用定期券ホワイトリストチェックと出場用金額券ホワイトリストチェックの両方を行う構成とすることにより、金額券の機能を併せ持つ定期券に対しても改札の入出場を管理することが可能である。
【００３８】
次に、本発明に係る自動改札システムの第２実施形態について説明する。
本実施形態のシステム構成は、図１に示した実施形態と同じである。第２実施形態は、管理センターにおいて、使用形態が定期券で有効期限内の非接触ＩＣカードの識別情報をリストアップした有効区間内の各駅毎の出場用定期券ホワイトリストを予め作成することが、入場時に出場用定期券ホワイトリストを作成する第１実施形態と異なる。その他の構成は第１実施形態と同じである。
【００３９】
第２実施形態の自動改札システムの入出場処理動作について説明する。
本実施形態の入出場処理動作は、図３〜図５のフローチャートに従って前述した第１実施形態と略同様であるが、入場情報を受信したときの管理センター３の動作が異なる。本実施形態では、有効区間内の各駅毎の出場用定期券ホワイトリストを予め作成し、該当する各駅の駅装置に予め配信しておくので、入場情報を受信したときの管理センター３の動作を説明する図４のフローチャートにおいて、ステップ２１で、出場用定期券ホワイトリストの作成は行わず、データベースの格納情報と入場を許可した識別番号及び入場場所（駅）情報とに基づいて、非接触ＩＣカードが金額券のときに出場用金額券ホワイトリストを作成し、ステップ２２で、出場用定期券ホワイトリストの配信は不要で、作成した出場用金額券ホワイトリストを、該当する駅装置に配信し、その識別番号に対応付けられた非接触ＩＣカード２１のデータベース内の使用履歴情報を更新する。
【００４０】
かかる構成の自動改札システムによれば、出場用定期券ホワイトリストに関しては予め作成して配信するので、第１実施形態と比較してチェック用リストのデータ量としては出場用定期券ホワイトリスト分増加するが、定期券の非接触ＩＣカードについては入場時における管理センターの処理負荷を軽減できる利点がある。
【００４１】
尚、上述した各実施形態では、例えば相互乗り入れしている複数の鉄道会社を統括して管理する場合のシステム構成を示したが、単体の鉄道会社を対象とした自動改札システムであれば、エリアサーバ２−１〜２−ｍがそれぞれ図１の管理センター３の役割を担うシステム構成となる。
【００４２】
また、言うまでもないが、券売機１３や精算機１４からは使用された非接触ＩＣカードの識別情報と共に、それぞれ発券した１回限りの乗車券の金額情報や精算金額情報が駅装置から管理センター３に送信される。係員機１５からは例えば通信不良等により入出場の記録が不整合になっている非接触ＩＣカードの識別番号情報等が管理センター３に送信される。
【００４３】
自販機１７、ＰＯＳ端末１８及びその他端末１９からも使用された非接触ＩＣカードの識別情報と共に、使用された金額情報が駅装置から管理センター３に送信される。これら駅務に関係のない自販機１７、ＰＯＳ端末１８及びその他端末１９は、管理センター３に直接ネットワーク接続するよう構成してもよい。尚、自販機１７、ＰＯＳ端末１８及びその他端末１９を省略してもよい。
【符号の説明】
【００４４】
１−１〜１−ｎ    駅装置
２−１〜２−ｍ    エリアサーバ
３    管理センター
１１    自動改札機
１３    券売機
１４    精算機
１５    係員機
１６    駅サーバ
２１    非接触ＩＣカード
３１    制御部
３２    通信部
３３    データベース
【図１】
2012221089.tif 000003
【図２】
2012221089.tif 000004
【図３】
2012221089.tif 000005
【図４】
2012221089.tif 000006
【図５】
2012221089.tif 000007